(57)【要約】【課題】散布作業が容易で、意図しない場所に内容物が散布されることを抑制でき、広範囲にわたって内容物を均一に散布できる散布袋の提供を目的とする。【解決手段】内容物を収容する収容部１０を有し、収容部１０の下部に、収容部１０の内部に収容される内容物が通過して放散される穴１８が形成され、収容部１０の下部における穴１８よりも上側の内面に、互いに着脱自在に嵌合する雄側嵌合部２６及び雌側嵌合部２８を有する嵌合具２０が取り付けられ、嵌合具２０によって、収容部１０の内部が、穴１８が形成された下側の部分と穴１８が形成されていない上側の部分に区切られる散布袋１。【選択図】図１
2014023467.tif 000002
【特許請求の範囲】
【請求項１】
内容物を収容する収容部を有し、
前記収容部の下部に、前記収容部の内部に収容される内容物が通過して放散される穴が形成され、
前記収容部の下部における前記穴よりも上側の内面に、互いに着脱自在に嵌合する一対の嵌合部が取り付けられ、
前記嵌合部によって、前記収容部の内部が、前記穴が形成された下側の部分と前記穴が形成されていない上側の部分に区切られることを特徴とする散布袋。
【請求項２】
前記収容部の下部に底面部が設けられ、該底面部に前記穴が形成されている、請求項１に記載の散布袋。
【発明の詳細な説明】
【技術分野】
【０００１】
本発明は、散布袋に関する。
【背景技術】
【０００２】
例えば、畑等における肥料、農薬等の散布では、袋や容器に収容された肥料や農薬等の内容物を柄杓等によって散布する方法がある。しかし、該方法は内容物が収容された容器自体を持って移動する必要があるため、特に容器内に多量の内容物が収容されている場合、広範囲にわたって該内容物を散布することは困難である。また、柄杓で内容物を掬って撒く動作を頻繁に繰り返す必要があり散布作業が煩雑である。
【０００３】
そこで、内容物を収容する袋に矩形状の底面部を設け、該底面部に直径４〜８ｍｍの小孔を３〜１５個形成し、かつ該底面部の外側に底紙を貼り付けて前記小孔を閉塞した散布袋が提案されている（特許文献１）。
前記散布袋は、底面部に貼り付けられた底紙を剥がすことで、袋内の内容物が前記小孔から放散されるようになり、内容物の散布が行えるようになる。しかし、該散布袋は、一旦散布を終えた後に再度使用する場合、内容物を袋内に補充しているときに内容物が小孔から放散されてしまう。また、散布場所まで移動している間にも内容物が放散されてしまう。そのため、内容物を補充している場所や、散布場所までの経路等、散布を予定していない場所に内容物が散布される問題がある。また、複数回の散布作業によって、内容物を広範囲にわたって均一に散布することが難しい。
【先行技術文献】
【特許文献】
【０００４】
【特許文献１】特開平７−２６４９６３号公報
【発明の概要】
【発明が解決しようとする課題】
【０００５】
本発明は、散布作業が容易で、意図しない場所に内容物が散布されることを抑制でき、広範囲にわたって内容物を均一に散布できる散布袋の提供を目的とする。
【課題を解決するための手段】
【０００６】
本発明の散布袋は、内容物を収容する収容部を有し、
前記収容部の下部に、前記収容部の内部に収容される内容物が通過して放散される穴が形成され、
前記収容部の下部における前記穴よりも上側の内面に、互いに着脱自在に嵌合する一対の嵌合部が取り付けられ、
前記嵌合部によって、前記収容部の内部が、前記穴が形成された下側の部分と前記穴が形成されていない上側の部分に区切られることを特徴とする。
【０００７】
また、本発明の散布袋は、前記収容部の下部に底面部が設けられ、該底面部に前記穴が形成されていることが好ましい。
【発明の効果】
【０００８】
本発明は、散布作業が容易で、意図しない場所に内容物が散布されることを抑制でき、広範囲にわたって内容物を均一に散布できる。
【図面の簡単な説明】
【０００９】
【図１】本発明の散布袋の一例を示した斜視図である。
【図２】図１の散布袋を直線Ｉ−Ｉ’で切断したときの断面図である。
【図３】図２の散布袋の嵌合具を閉じた様子を示した断面図である。
【図４】本発明の散布袋の他の例を示した斜視図である。
【図５】本発明の散布袋の他の例を示した断面図である。
【図６】本発明の散布袋の他の例を示した斜視図である。
【発明を実施するための形態】
【００１０】
本発明の散布袋は、例えば、肥料、農薬等の内容物を散布するための袋である。特に、容器に多量の内容物が収容され、該容器を持ち運ぶことが困難な場合に、該内容物の一部を移し替え、複数回にわたって広範囲に内容物を散布する用途に好適である。散布する内容物の形状は特に限定されず、粉状であってもよく、液状であってもよい。
以下、本発明の散布袋の一例を示して詳細に説明する。
【００１１】
本実施形態の散布袋１は、図１〜３に示すように、内容物を収容する収容部１０を有している。
収容部１０は、一対の側面部１２，１４を形成する矩形状の側面用フィルム材１２ａ，１４ａの間に、底面部１６を形成する矩形状の底面用フィルム材１６ａが挿入されるようにそれらが重ねられ、側面用フィルム材１２ａと側面用フィルム材１４ａの両方の側端同士と、側面用フィルム材１２ａ及び側面用フィルム材１４ａと底面用フィルム材１６ａの下端同士とがヒートシールされて袋状になっている。なお、底面用フィルム材１６ａは、図３に示すように、２つ折りにされ、その折り返し部１６ｂが上側を向くように配置されており、その両方の下端が、側面用フィルム材１２ａの下端と側面用フィルム材１４ａの下端にそれぞれ溶着されている。
収容部１０の上方は開口部１０ａが形成されており、開口部１０ａから収容部１０の内部に内容物を投入して収容できるようになっている。また、散布袋１の収容部１０は、図１及び図２に示すように、底面用フィルム材１６ａが内容物によって下方に押し拡げられることで、収容部１０の下部に底面部１６が形成されるようになっている。
【００１２】
収容部１０の大きさは、収容しようとする内容物の重さや量に応じて適宜決定することができる。
例えば、畑や菜園等で肥料や農薬等を散布する場合、それら肥料や農薬等を散布したい幅と収容部１０の幅Ｌ（図１）を同等にすることで、目的の散布範囲に内容物を散布することがより容易になる。
【００１３】
収容部１０を形成する側面用フィルム材１２ａ，１４ａ及び底面用フィルム材１６ａの材質は、ヒートシールにより収容部１０を形成でき、かつ嵌合具２０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、側面用フィルム材１２ａ，１４ａ及び底面用フィルム材１６ａは、シーラント層のみからなる単層フィルムであってもよい。
【００１４】
収容部１０の下部に形成された底面部１６には、収容部１０の内部に収容される内容物が通過して放散される穴１８が複数形成されている。
穴１８の形状及び大きさは、内容物の種類、内容物が粉状であればその形状及び大きさ等に応じて、内容物が所望の流量で通過して放散されるように適宜設定すればよい。穴１８の形状としては、例えば、円形状、長円形状、矩形状、三角形状等が挙げられる。穴１８の形状は何でもよいが、穴１８の縁から破れ難く、かつ、穿孔機の噛み合わせが多少ずれたとしても穿孔ミスが生じ難いため、円形状または長円形状であることが好ましい。
穴１８の数は、特に制限されず、内容物の種類、穴１８の形状及び大きさ等に応じて適宜設定すればよい。
また、穴１８の位置も適宜設定でき、内容物をより均一に散布しやすくなることから、底面部１６においてできるだけ均一に分布していることが好ましい。
【００１５】
また、収容部１０における側面部１２と側面部１４の下部の内面、すなわち収容部１０の下部における穴１８よりも上側の内面に、雄側嵌合部２６及び該雄側嵌合部２６と着脱自在に嵌合する雌側嵌合部２８を有する嵌合具２０が、幅方向に沿って取り付けられている。収容部１０の内部は、図３に示すように、嵌合具２０を閉じることによって、すなわち雄側嵌合部２６と雌側嵌合部２８によって、穴１８が形成された下側の部分と、穴１８が形成されていない上側の部分とに区切れるようになっている。
【００１６】
嵌合具２０は、図２に示すように、一対の帯状の第１の基材２２及び第２の基材２４を有し、第１の基材２２の対向面２２ａに長手方向に沿って突条の雄側嵌合部２６が設けられ、第２の基材２４の対向面２４ａに長手方向に沿って雌側嵌合部２８が設けられている。
この例では、第１の基材２２が収容部１０の側面部１４の内面に幅方向に沿って溶着され、第２の基材２４が収容部１０の側面部１２の内面に幅方向に沿って溶着されることで、嵌合具２０が収容部１０における側面部１２と側面部１４の下部の内面に取り付けられている。
【００１７】
雄側嵌合部２６は、第１の基材２２の対向面２２ａから立ち上がる幹部２６ａと、幹部２６ａの先端部に設けられ、幹部２６ａよりも大きい断面略半円形状の頭部２６ｂを有している。また、雌側嵌合部２８は、第２の基材２４の対向面２４ａから断面円弧状に立ち上がる第１のアーム部２８ａと第２のアーム部２８ｂとからなり、第１のアーム部２８ａと第２のアーム部２８ｂによって凹部２８ｃが形成されている。雄側嵌合部２６と雌側嵌合部２８は、雄側嵌合部２６の頭部２６ｂを雌側嵌合部２８の凹部２８ｃに嵌め込むことで、着脱自在に嵌合できるようになっている。
雄側嵌合部２６及び雌側嵌合部２８の断面形状は、前記形状には限定されない。雄側嵌合部２６と雌側嵌合部２８を互いに着脱することで、収容部１０の内部を上下に区切ったり一体としたりすることが行えるものであればよく、公知の断面形状を採用できる。
【００１８】
第１の基材２２としては、特に限定されず、公知の嵌合具の基材に使用されるものが使用でき、積層フィルムからなる基材が好ましい。積層フィルムからなる第１の基材２２としては、例えば、対向面２２ａ側から、耐熱層とヒートシール層が積層されたフィルムが挙げられる。また、第１の基材２２は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１９】
第１の基材２２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材２２は、積層フィルムからなる基材には限定されず、単層フィルムからなる基材であってもよい。
【００２０】
第２の基材２４としては、第１の基材２２と同じ基材が挙げられ、好ましい態様も同じである。
また、雄側嵌合部２６及び雌側嵌合部２８の材質としては、例えば、第１の基材２２及び第２の基材２４で挙げた材質が採用できる。
【００２１】
嵌合具２０を閉じた状態で収容部１０の嵌合具２０よりも上側に内容物をより多く収容することができる点では、収容部１０における嵌合具２０の上下方向の位置は、穴１８よりも上側に位置する範囲でできるだけ下方であることが好ましい。
また、嵌合具２０を閉じることが容易になる点では、収容部１０における嵌合具２０の上下方向の位置は、図３に示すように、上側に折り込んだ状態の底面用フィルム材１６ａの折り返し部１６ｂよりも上側となる位置が好ましい。
【００２２】
また、この例の収容部１０の上部側には、手を差し入れることができる手提げ用開口部３０，３２が形成されている。これにより、散布袋１の取り扱い性が向上し、広範囲にわたって内容物を散布することが容易になる。
手提げ用開口部３０，３２の大きさ及び形状は、それらに手を差し入れて散布袋１を持てる大きさ及び形状であれば特に限定されない。
【００２３】
以下、散布袋１の作用について説明する。
例えば、容器内に多量に収容された内容物を広範囲にわたって散布する場合、該容器内の内容物の一部を開口部１０ａから散布袋１の収容部１０内に移し替える。このとき、図３に示すように、嵌合具２０の雄側嵌合部２６と雌側嵌合部２８を嵌合し、収容部１０の内部を、穴１８が形成されている下側の部分と、穴１８が形成されていない上側の部分とに区切っておく。これにより、収容部１０の内部における嵌合具２０よりも上側の部分に内容物が収容されるので、その内容物が穴１８を通過することが防止される。そのため、内容物を移し替えているときに該内容物が散布袋１の穴１８から漏れ落ちることを抑制でき、前記容器の周りに内容物が散乱することを抑制できる。
【００２４】
また、内容物を散布する場所まで移動した後、図１及び図２に示すように、嵌合具２０の雄側嵌合部２６を雌側嵌合部２８から脱離させる。これにより、収容部１０内の内容物が穴１８を通過して放散される。このような散布袋１を用いた内容物の散布では、雄側嵌合部２６を雌側嵌合部２８から脱離させるまでは内容物が散布袋１の外に出ないので、内容物の散布場所までの経路等、意図しない場所に内容物が撒かれることを防ぐことができる。そのため、広範囲にわたる散布であっても内容物を均一に散布することができる。
【００２５】
以上説明した本発明の散布袋は、収容部の下部に内容物を放散させるための穴が形成され、さらに該穴の上側に嵌合具が設けられて収容部の内部が区切られているため、該嵌合具の開閉によって内容物を散布する時期を自在に制御できる。そのため、散布を意図していない場所に内容物が撒かれることを抑制しつつ、内容物を容易に広範囲にわたって均一に散布できる。
【００２６】
なお、本発明の散布袋は、前記した散布袋１には限定されない。例えば、収容部の上部側に手提げ用開口部が形成されておらず、その代わりに上部に手提げ用の把手が設けられた散布袋であってもよい。また、収容部の形状は矩形状には形成されない。
また、本発明の散布袋における嵌合具は、前記嵌合具２０には限定されず、収容部の内部を自在に区切れるものであれば、公知のいかなる態様の嵌合具であってもよい。
また、手提げ用開口部を利用して内容物を収容部内に収容する場合等は、収容部の上部側に必ずしも開口部を形成しなくてもよい。また、収容部の上部は予め封止された状態とし、収容部の上部の一部を切り取ることで開口部が形成されるようにしてもよい。
【００２７】
また、図４に例示した散布袋２であってもよい。散布袋２における散布袋１と同じ部分は同符号を付して説明を省略する。
散布袋２は、底面部１６を形成する底面用フィルム材１６ａを有さず、側面用フィルム材１２ａと側面用フィルム材１４ａの側端同士及び下端同士がヒートシールされ、側面部１２と側面部１４とからなる収容部１０Ａを有し、収容部１０Ａにおける側面部１２と側面部１４の下部に複数の穴１８が形成されている以外は、散布袋１と同じである。
本発明の散布袋は、内容物の散布がより容易である点で、散布袋１ように底面部が設けられ、該底面部に穴が形成されたものが好ましいが、散布袋２のように収容部の下部に底面部が形成されていないものであってもよい。
【００２８】
散布袋２においては、穴１８の位置は、収容部１０Ａ内に内容物が残留し難くなる点から、側面部１２及び側面部１４において、できるだけ底に近い位置に形成されていることが好ましい。
【００２９】
また、図５に例示した散布袋３であってもよい。散布袋３における散布袋１と同じ部分は同符号を付して説明を省略する。
散布袋３は、側面部１２の外面における嵌合具２０に対応する部分にフィルム材の一端が接着又は溶着された第１の把持部３４と、側面部１４の外面における嵌合具２０に対応する部分にフィルム材の一端が接着又は溶着された第２の把持部３６とが設けられている以外は、散布袋１と同じである。第１の把持部３４と第２の把持部３６のフィルム材は、側面部１２及び側面部１４に接着又は溶着できるものであれば特に限定されない。
散布袋３は、第１の把持部３４と第２の把持部３６をそれぞれ把持して外側に引っ張ることで、その内面に取り付けられた嵌合具２０の雄側嵌合部２６を雌側嵌合部２８から容易に脱離させることができ、簡便に内容物を散布することができる。
【００３０】
また、図６に例示した散布袋４であってもよい。散布袋４における散布袋１と同じ部分は同符号を付して説明を省略する。
散布袋４は、底面部１６を形成する底面用フィルム材１６ａを有さず、１枚のフィルム材１３で形成された側面部１２と側面部１４からなる収容部１０Ｂを有し、収容部１０Ｂにおける側面部１２と側面部１４の下部に複数の穴１８が形成されている以外は、散布袋１と同じである。
【００３１】
散布袋４においては、穴１８の位置は、収容部１０Ｂ内に内容物が残留し難くなる点から、側面部１２及び側面部１４において、できるだけ底に近い位置に形成されていることが好ましい。
散布袋４は、例えば、インフレーション法や溶断等で、一対の側面部を有する１枚のフィルム材からなる袋体を形成し、その底に穴を形成した後、該穴の上側における外面に嵌合具を取り付け、その袋体を前記嵌合具が内面側となるように裏返す方法で製造できる。
また、散布袋１〜４は、互いに着脱自在に嵌合する嵌合部が一対の基材にそれぞれ形成された嵌合具が取り付けられた袋であったが、本発明の散布袋は、互いに着脱自在に嵌合する嵌合部が収容部の内面に直接形成された袋であってもよい。
【符号の説明】
【００３２】
１〜４・・・散布袋、１０，１０Ａ，１０Ｂ・・・収容部、１２，１４・・・側面部、１６・・・底面部、１８・・・穴、２０・・・嵌合具、２２・・・第１の基材、２４・・・第２の基材、２６・・・雄側嵌合部、２８・・・雌側嵌合部、３０，３２・・・手提げ用開口部、３４・・・第１の把持部、３６・・・第２の把持部。
【図１】
2014023467.tif 000003
【図２】
2014023467.tif 000004
【図３】
2014023467.tif 000005
【図４】
2014023467.tif 000006
【図５】
2014023467.tif 000007
【図６】
2014023467.tif 000008